【手続補正書】
【提出日】平成17年7月26日(2005.7.26)
【手続補正１】
【補正対象書類名】明細書
【補正対象項目名】発明の名称
【補正方法】変更
【補正の内容】
【発明の名称】画像形成装置及びプロセスカートリッジ
【手続補正２】
【補正対象書類名】明細書
【補正対象項目名】特許請求の範囲
【補正方法】変更
【補正の内容】
【特許請求の範囲】
【請求項１】
記録材に画像を形成する画像形成装置において、
電子写真感光体ドラムと、前記電子写真感光体ドラムに形成された静電潜像を現像するための現像手段と、容器と、を有する、前記画像形成装置の装置本体に取り外し可能に装着されたプロセスカートリッジと、
前記現像手段によって現像された、前記電子写真感光体ドラムの周面上のトナー像を、前記記録材に転写するための転写部材と、
前記電子写真感光体ドラムと前記転写部材とで形成される転写部に前記記録材が搬送される前に、前記記録材を検知するための検知手段であって、前記カートリッジが前記装置本体に装着した際に、前記容器の底部に押圧されることによって、使用可能な状態になる検知手段と、
を有することを特徴とする画像形成装置。
【請求項２】
前記検知手段は、前記容器の底部に設けられた弾性を有する弾性部材に押圧されることによって、使用可能な状態になることを特徴とする請求項１に記載の画像形成装置。
【請求項３】
更に、画像形成装置は
前記検知手段からの検知信号を取り出すための第一の本体電気接点と、
前記カートリッジが前記装置本体に装着した際に、前記カートリッジを介して前記検知信号を前記装置本体に設けられた信号処理回路部に伝達するための第二の本体電気接点と、
を有することを特徴とする請求項１または２に記載の画像形成装置。
【請求項４】
前記カートリッジは、
前記カートリッジが前記装置本体に装着した際に、前記第一の本体電気接点と電気的に接続する第一のカートリッジ電気接点と、
前記第一のカートリッジ電気接点と電気的に接続する第二のカートリッジ電気接点であって、前記カートリッジが前記装置本体に装着した際に、前記第二の本体電気接点と電気的に接続する第二のカートリッジ電気接点と、
を有することを特徴とする請求項３に記載の画像形成装置。
【請求項５】
前記検知手段は、前記記録材の画像を形成される画像形成面の表面粗さを検知する記録材表面粗さ検知センサであることを特徴とする請求項１から４のいずれかに記載の画像形成装置。
【請求項６】
記録材に画像を形成する画像形成装置本体に着脱可能なプロセスカートリッジであって、
電子写真感光体ドラムと、
前記電子写真感光体ドラムに形成された静電潜像を現像するための現像手段と、
容器と、
前記装置本体に設けられた転写部材であって、前記現像手段によって現像された、前記電子写真感光体ドラムの周面上のトナー像を、前記記録材に転写するための転写部材と、前記電子写真感光体ドラムとで形成される転写部に前記記録材が搬送される前に、前記記録材を検知するための検知手段であって、前記容器の底部に設けられた、前記カートリッジが前記装置本体に装着した際に、使用可能な状態になる検知手段と、
を有することを特徴とするプロセスカートリッジ。
【請求項７】
前記検知手段は、前記記録材表面に照明光を照射する光源と、前記記録材表面の反射光を受光する受光素子を有し、該反射光の情報から前記記録材表面の凹凸を推測する光学式表面粗さ検知センサであることを特徴とする請求項６に記載のプロセスカートリッジ。
【請求項８】
前記検知手段は、前記記録材の厚さを検知する記録材厚さ検知センサであることを特徴とする請求項６に記載のプロセスカートリッジ。
【請求項９】
前記検知手段は、前記記録材の静電容量を検知する記録材静電容量検知センサであることを特徴とする請求項６に記載のプロセスカートリッジ。
【請求項１０】
前記検知手段は、前記記録材の先端が装置内部の所定位置を通過するタイミングを検知する記録材先端通過タイミング検知センサであることを特徴とする請求項６に記載のプロセスカートリッジ。
【請求項１１】
前記検知手段は、前記記録材が透明なＯＨＰ用シートであるか否かを識別するＯＨＰ用シート検知センサであることを特徴とする請求項６に記載のプロセスカートリッジ。
【手続補正３】
【補正対象書類名】明細書
【補正対象項目名】００３６
【補正方法】変更
【補正の内容】
【００３６】
【課題を解決するための手段】
上記目的を達成するための本発明に係る画像形成装置の代表的な構成は、記録材に画像を形成する画像形成装置において、電子写真感光体ドラムと、前記電子写真感光体ドラムに形成された静電潜像を現像するための現像手段と、容器と、を有する、前記画像形成装置の装置本体に取り外し可能に装着されたプロセスカートリッジと、前記現像手段によって現像された、前記電子写真感光体ドラムの周面上のトナー像を、前記記録材に転写するための転写部材と、前記電子写真感光体ドラムと前記転写部材とで形成される転写部に前記記録材が搬送される前に、前記記録材を検知するための検知手段であって、前記カートリッジが前記装置本体に装着した際に、前記容器の底部に押圧されることによって、使用可能な状態になる検知手段と、を有することを特徴とするものである。
【手続補正４】
【補正対象書類名】明細書
【補正対象項目名】００３７
【補正方法】変更
【補正の内容】
【００３７】
また、上記目的を達成するための本発明に係るプロセスカートリッジの代表的な構成は、記録材に画像を形成する画像形成装置本体に着脱可能なプロセスカートリッジであって、電子写真感光体ドラムと、前記電子写真感光体ドラムに形成された静電潜像を現像するための現像手段と、容器と、前記装置本体に設けられた転写部材であって、前記現像手段によって現像された、前記電子写真感光体ドラムの周面上のトナー像を、前記記録材に転写するための転写部材と、前記電子写真感光体ドラムとで形成される転写部に前記記録材が搬送される前に、前記記録材を検知するための検知手段であって、前記容器の底部に設けられた、前記カートリッジが前記装置本体に装着した際に、使用可能な状態になる検知手段と、を有することを特徴とするものである。
【手続補正５】
【補正対象書類名】明細書
【補正対象項目名】００３８
【補正方法】削除
【補正の内容】
【手続補正６】
【補正対象書類名】明細書
【補正対象項目名】００３９
【補正方法】削除
【補正の内容】
【手続補正７】
【補正対象書類名】明細書
【補正対象項目名】００４０
【補正方法】削除
【補正の内容】
【手続補正８】
【補正対象書類名】明細書
【補正対象項目名】００４１
【補正方法】削除
【補正の内容】
【手続補正９】
【補正対象書類名】明細書
【補正対象項目名】００４２
【補正方法】削除
【補正の内容】
【手続補正１０】
【補正対象書類名】明細書
【補正対象項目名】００４３
【補正方法】削除
【補正の内容】
【手続補正１１】
【補正対象書類名】明細書
【補正対象項目名】００４４
【補正方法】削除
【補正の内容】
【手続補正１２】
【補正対象書類名】明細書
【補正対象項目名】００４５
【補正方法】削除
【補正の内容】
【手続補正１３】
【補正対象書類名】明細書
【補正対象項目名】００８８
【補正方法】変更
【補正の内容】
【００８８】
以上の説明で明らかなように、本実施例によれば、少なくとも現像装置を備えた着脱可能のプロセスカートリッジを有し、記録材上にトナー像を形成する画像形成装置において、記録材の物理的情報を画像形成面側から検知する記録材情報検知手段を少なくとも前記プロセスカートリッジを装置本体に装着させた状態で該プロセスカートリッジ容器底部と一体化して使用可能になるようにしたので、検知手段の取り付けスペース効率を改善でき、更に取り付けた状態でプロセスカートリッジ容器底部と検知手段保持部材の双方の剛性を高められるので安定した画像形成と記録材情報検知が両立できる。また、カートリッジ上に信号配線を設けることで検知信号をカートリッジを介して本体側に伝達可能として配線の引き回しの複雑化や耐久信頼性を向上でき、更に検知手段をカートリッジ側に一体形成する事で更なる剛性確保とスペース効率の改善が可能となり、検知手段に長期間の耐久性を付与する必要も無くなるため、検知手段のコストダウンも促進でき、検知手段の保守点検作業もカートリッジの取り外しだけで簡単に処理できるようになるうえ、このように検知部とカートリッジを一体製造する事で検知手段と画像形成部の位置関係をより精密に管理できるようになるので、検知手段を紙先端検知に応用した場合の記録材上への画像形成位置精度も向上できる。
【発明の効果】
以上の説明したように、本発明によれば、記録材を検知する検知手段の取り付けのためのスペース効率を改善するとともに、検知手段の検知精度を向上することができる。